(57)【特許請求の範囲】
【請求項１】
シャーシの鍵支点に鍵を回動自在に支持する鍵盤楽器の鍵支持装置であって、
前記鍵は、天壁および左右の側壁を有し、底面が開放するように構成され、前記左右の側壁には、互いに対向するように内方に突出し且つ内側面に下広がりのテーパ面を有する被支持突起がそれぞれ形成され、前記天壁の前記被支持突起の上方の部分には、前記側壁の弾性変形を可能にするための切欠が形成され、
前記鍵支点は、前記シャーシに上方に突出して設けられた係合突起と、この係合突起の下側に隣接して設けられ、前記被支持突起が回動自在に嵌合可能な支持穴とを有し、前記係合突起の左右の外側面は、前記被支持突起を前記支持穴に嵌合させる際に前記被支持突起の前記テーパ面に係合することによって前記側壁を弾性変形させるとともに、前記被支持突起を前記係合突起に抜止め状態で係合させる、下広がりのテーパ面を有していることを特徴とする鍵盤楽器の鍵支持装置。
【発明の詳細な説明】
【０００１】
【発明の属する技術分野】
本発明は、電子ピアノなどにおいてシャーシの鍵支点に鍵を回動自在に支持する鍵盤楽器の鍵支持装置に関する。
【０００２】
【従来の技術】
従来のこの種の鍵支持装置として、例えば実開昭６３−１５３２９６号公報に開示されたものが知られている。この鍵支持装置では、鍵の左右の側壁の後端に、後方に開放する半円形状の軸受孔がそれぞれ形成される一方、シャーシには、鍵の左右の軸受孔が回動自在にそれぞれ嵌合する、短い丸棒状の左右の鍵支点が形成されている。また、鍵とシャーシの間には、鍵をシャーシ側に付勢する引張ばねが設けられている。以上の構成により、鍵は、鍵支点への軸受孔の嵌合を引張ばねにより保持された状態で、鍵支点に回動自在に支持されている。
【０００３】
【発明が解決しようとする課題】
しかし、この従来の鍵支持装置では、鍵を鍵支点に保持するために、引張ばねを鍵ごとに設けなければならず、その分、部品点数が増大し、組立にも手間がかかることにより、製造コストが上昇してしまう。また、鍵の側壁の後端部を切り欠くようにして軸受孔が形成されているため、側壁の断面の減少によって、鍵支点付近の鍵の強度が低下する。鍵の鍵支点付近の部分は、演奏中に鍵に作用する荷重を支持する鍵支点から反力を直接、受ける部分であるので、鍵のこのような強度低下によって、鍵の極強打時の変形および破損や、耐久性の低下などの不具合を生じるおそれがある。
【０００４】
本発明は、このような課題を解決するためになされたものであり、鍵の強度を高めることができるとともに、部品点数の削減と組立の容易化によって製造コストを削減することができる鍵盤楽器の鍵支持装置を提供することを目的とする。
【０００５】
【課題を解決するための手段】
この目的を達成するため、本発明は、シャーシの鍵支点に鍵を回動自在に支持する鍵盤楽器の鍵支持装置であって、鍵は、天壁および左右の側壁を有し、底面が開放するように構成され、左右の側壁には、互いに対向するように内方に突出し且つ内側面に下広がりのテーパ面を有する被支持突起がそれぞれ形成され、天壁の被支持突起の上方の部分には、側壁の弾性変形を可能にするための切欠が形成され、鍵支点は、シャーシに上方に突出して設けられた係合突起と、この係合突起の下側に隣接して設けられ、被支持突起が回動自在に嵌合可能な支持穴とを有し、係合突起の左右の外側面は、被支持突起を支持穴に嵌合させる際に被支持突起のテーパ面に係合することによって側壁を弾性変形させるとともに、被支持突起を係合突起に抜止め状態で係合させる、下広がりのテーパ面を有していることを特徴とする。
【０００６】
この鍵盤楽器の鍵支持装置では、鍵支点への鍵の取付けは、次のようにして行われる。すなわち、鍵の左右の被支持突起を鍵支点の係合突起にまたがるように載せた状態で、鍵を押し下げると、被支持突起の各テーパ面が係合突起の左右のテーパ面に沿って案内されることによって、両側壁は係合突起によって外方へ押し広げられるように弾性変形する。そして、被支持突起が係合突起から外れた時点で、側壁が弾性復帰することにより、被支持突起は、係合突起で抜止めされた状態で、支持穴に回動自在に嵌合する。
【０００７】
このように、本発明の鍵支持装置では、鍵の被支持突起を鍵支点の係合突起に位置合わせして、鍵を押し下げるだけで、鍵支点に鍵を取り付けることができ、その組立を容易に行うことができる。また、鍵が鍵支点に抜止め状態で嵌合することによって、鍵支点に保持されるので、この目的のために鍵ごとに設けられていた従来の引張ばねは不要となり、その分、部品点数を削減できる。さらに、鍵の鍵支点に支持される部分が、被支持突起として突起状に構成されているので、これを軸受孔で構成していた従来の場合のような側壁の断面減少による強度低下がないとともに、この被支持突起が側壁を補強する作用を果たすことにより、鍵の強度を高めることができる。
【０００８】
【発明の実施の形態】
以下、図面を参照しながら、本発明の実施形態を詳細に説明する。図１および図２は、本発明の一実施形態による鍵支持装置を組み込んだ電子ピアノの鍵盤装置を示している。この鍵盤装置１は、８８鍵用のものであり、両図に示すように、シャーシ２と、シャーシ２の後端部に回動自在に取り付けられた白鍵３ａおよび黒鍵３ｂから成る８８個の鍵３（両図には白鍵３ａおよび黒鍵３ｂの各１個のみ図示）と、鍵３ごとにシャーシ２の中央部に回動自在に取り付けられた複数のハンマー４（両図に１個のみ図示）などを備えている。
【０００９】
シャーシ２は、中央の６個の中間シャーシ２ａ（図３に１個のみ図示）と、図４に示す最低音部用シャーシ２ｂと、図５に示す最高音部用シャーシ２ｃの、計８個のシャーシにより分割構成され、左右方向に並んだ状態で棚板５上に支持されている。
【００１０】
中間シャーシ２ａは、図３に示すように、Ｆ鍵からＥ鍵までの１オクターブ分、計１２個の鍵３（７個の白鍵３ａと５個の黒鍵３ｂ）およびハンマー４を支持するものであり、同じ寸法および形状を有し、同一の金型で成形されたＡＢＳ樹脂などの射出成形品で構成されている。最低音部用および最高音部用シャーシ２ｂ、２ｃは、図４および図５に示すように、中間シャーシ２ａの一部として構成されている。より具体的には、最低音部用シャーシ２ｂは、中間シャーシ２ａを切断線Ａ−Ａ’に沿って切断した右側の部分で構成されている。一方、最高音部用シャーシ２ｃは、中間シャーシ２ａを切断線Ｂ−Ｂ’に沿って切断した左側の部分で構成されている。
【００１１】
以上の計８個のシャーシ２は、図１に示すように、左右方向に延びる４本の連結バー６にねじ７で固定され、連結バー６上に左右方向に並んだ状態で連結されている。各連結バー６は、シャーシ２の左右方向の全体に渡る長さの細長い１本のアングル状のものであり、例えば鋼板の曲げ加工によって形成されている。また、前後方向に延びる補強用のリブ８がオクターブごとに配置され（図１に１個のみ図示）、連結バー６間にねじ９で固定されている。このリブ８は、例えば１枚の鋼板を金型を用いて曲げプレス加工することによって、形成されている。以上のように連結バー６で連結され、リブ８で補強されたシャーシ２は、前後の連結バー６を介して、ねじ１０で棚板５に固定されている。
【００１２】
シャーシ２の後端部には、鍵３を回動自在に支持する鍵支点１１が、鍵３ごとに設けられている。各鍵支点１１は、図６に示すように、シャーシ２に形成された左右の支持壁５３、５３と、これらの支持壁５３、５３の上部間に上方に突出して一体に形成された係合突起５４と、係合突起５４の下側に隣接して、支持壁５３、５３間を貫通するように形成された支持穴５５とを有している。係合突起５４の左右の側面は、下広がりのテーパ面５６になっている。
【００１３】
一方、鍵３は、例えばＡＳ樹脂の射出成形品で構成されており、図７に示すように、左右の側壁３ｃ、３ｃと天壁３ｄから成り、底面が開放している。天壁３ｄの後端部には切欠５７が形成され、鍵３の背面は切欠５７に連なるように開放されており、それにより、側壁３ｃの後端部が弾性変形できるようになっている。また、両側壁３ｃ、３ｃの後端部には、切欠５７の下方に位置して、互いに対向するように内方に突出する被支持突起２３、２３がそれぞれ形成されており、各被支持突起２３の内側面の下半部は、下広がりのテーパ面５８になっている。なお、図７中の符号３ｅは、切欠５７の前側に形成された補強用のリブである。そして、鍵３の被支持突起２３、２３が鍵支点１１の支持穴５５に係合することによって、鍵３がシャーシ２に回動自在に支持されている。
【００１４】
具体的には、鍵支点１１への鍵３の取付けは、次のようにして行われる。すなわち、鍵３の左右の被支持突起２３、２３を係合突起５４にまたがるように載せた状態で、鍵３を押し下げると、被支持突起２３の各テーパ面５８が係合突起５４の左右のテーパ面５６に沿って案内されることによって、両側壁３ｃ、３ｃは係合突起５４によって外方へ押し広げられるように弾性変形する。そして、被支持突起２３が係合突起５４から外れた時点で、側壁３ｃが弾性復帰することにより、被支持突起２３は、係合突起５４で抜止めされた状態で、支持穴５５に回動自在に嵌合する（図８参照）。このように、鍵３の被支持突起２３、２３を係合突起５４に位置合わせして、鍵３を押し下げるだけで、鍵３を鍵支点１１に容易に取り付けることができる。
【００１５】
また、シャーシ２には、その中央部にハンマー４を支持するハンマー用軸穴１２が、さらに、前部およびハンマー用軸穴１２の前後には、ハンマー４が通過する第１〜第３ハンマー通過孔１３ａ〜１３ｃが、第１ハンマー通過孔１３ａの後ろ側には、鍵３の両側壁３ｃ、３ｃの前部に形成したフック状のストッパ部１４が通過する鍵通過孔１５が、それぞれ鍵３ごとに形成されている。さらに、シャーシ２には、第１ハンマー通過孔１３ａの前側で各白鍵３ａに相当する位置に白鍵用ガイド１６ａが、鍵通過孔１５の後ろ側で各黒鍵３ｂに相当する位置に黒鍵用ガイド１６ｂが、それぞれ立設されている。
【００１６】
また、図１に示すように、シャーシ２には、鍵３およびハンマー４の回動を規制するために、鍵下限ストッパ１７、ハンマー過回動防止ストッパ１８、ハンマー下限ストッパ１９、およびハンマー上限ストッパ５２が設けられている。鍵下限ストッパ１７およびハンマー過回動防止ストッパ１８は、鍵通過孔１５と黒鍵用ガイド１６ｂの間の同じ位置に、シャーシ２を挟むようにしてシャーシ２の上面および下面にそれぞれ取り付けられている。また、ハンマー下限ストッパ１９は、前側の連結バー６の下端部に取り付けられ、ハンマー上限ストッパ５２は、白鍵用ガイド１６ａの後ろ側に位置して、シャーシ２の下面に取り付けられている。これらのストッパ１７〜１９、５２はいずれも、シャーシ２の左右方向の全体にわたる１本の帯状の緩衝材、例えば、表面にフェルトを貼り付けた発泡ウレタンなどで構成されている。
【００１７】
さらに、シャーシ２のハンマー用軸穴１２の後ろ側には、鍵３の押鍵情報を検出するための鍵スイッチ２０が設けられている。この鍵スイッチ２０は、シャーシ２にねじ止めされたプリント基板２１と、その上面に設けられたスイッチ本体２２とを備えている。スイッチ本体２２は、シャーシ２の第３ハンマー通過孔１３ｃに下方から臨んでおり、プリント基板２１を介して、電子ピアノの発音を制御する制御装置（図示せず）に接続されている。
【００１８】
ハンマー４は、前後方向に延びるハンマー本体２５と、ハンマー本体２５の前端部の左右両側に取り付けられた２枚の質量板２６（図１に片側のもののみ図示）とで構成されている。ハンマー本体２５は、ＡＢＳ樹脂の射出成形品などで構成され、その後端部には両側方に突出するピン状の突起２７が形成されていて、この突起２７がシャーシ２のハンマー用軸穴１２に係合することによって、ハンマー４がシャーシ２に回動自在に支持されている。
【００１９】
ハンマー本体２５のハンマー用軸穴１２よりも後ろ側の部分は、スイッチ押圧部２８になっており、このスイッチ押圧部２８は、シャーシ２の第３ハンマー通過孔１３ｃに臨み、鍵スイッチ２０のスイッチ本体２２に上方から対向するとともに、このスイッチ押圧部２８に、鍵３の下面に設けたアクチュエータ部２９が上方から当接している。また、ハンマー本体２５は、その中央部がシャーシ２の第２ハンマー通過孔１３ｂを上下に横切ってシャーシ２の下側を前方に延びており、その前端にはストッパ部３０が前方に突出して形成されている。
【００２０】
また、質量板２６は、ハンマー４にアコースティックピアノと同様のタッチ重さを付与するためのものであり、鋼板などの重い材料で構成され、ハンマー過回動防止ストッパ１８とハンマー上限ストッパ５２の間に位置するような位置関係で、ハンマー本体２５に取り付けられている。
【００２１】
以上の構成により、鍵３が押鍵されると、鍵３は、そのストッパ部１４がシャーシ２の鍵通過孔１５を通過しながら下方に回動するとともに、白鍵用ガイド１６ａまたは黒鍵用ガイド１６ｂにより、左右方向にぶれないように案内される。また、このときの鍵３の下限位置は、その下面が鍵下限ストッパ１７に当接することによって規制される（図２の状態）。
【００２２】
この鍵３の押鍵に伴い、ハンマー４は、スイッチ押圧部２８が鍵３のアクチュエータ部２９で押圧されることによって、上方（図１の時計方向）に回動する。この回動の際、ハンマー４の質量板２６がシャーシ２の第１ハンマー通過孔１３ｃを通るとともに、質量板２６の後ろ側の部分が、押下された鍵３のストッパ部１４間を通る。また、白鍵３ａのハンマー４の場合には、質量板２６は、第１ハンマー通過孔１３ｃを越えて、白鍵３ａの両側壁３ｃ間に入り込むようになっている（図２参照）。
【００２３】
そして、ハンマー４が所定角度まで回動したときに、そのストッパ部３０がハンマー上限ストッパ５２に当接する（図２の状態）。鍵３の押鍵が弱打の場合には、ハンマー４の上限位置は、ハンマー上限ストッパ５２のみによって規制される。一方、鍵３が強打された場合には、ハンマー４は、ハンマー上限ストッパ５２をさらに圧縮させながら上限位置を越えてさらに回動し、ハンマー過回動防止ストッパ１８に当接することによって、それ以上の回動を阻止される。
【００２４】
また、このハンマー４の回動に伴い、そのスイッチ押圧部２８が鍵スイッチ２０のスイッチ本体２２を押下し、オン動作させることによって、鍵３の押鍵情報が検出され、その検出結果に応じて、制御装置により電子ピアノの発音が制御される。
【００２５】
この状態から鍵３が離鍵されると、鍵３およびハンマー４はそれぞれの初期位置に復帰回動し、このときのハンマー４の下限位置は、ストッパ部３０がハンマー下限ストッパ１９に当接することによって規制され、鍵３の上限位置は、そのストッパ部１４がハンマー過回動防止ストッパ１８に当接することによって規制される（図１の状態）。すなわち、ハンマー過回動防止ストッパ１８は、鍵３の上限位置を規制する鍵上限ストッパとして兼用されている。
【００２６】
以上のように、本実施形態によれば、鍵３の被支持突起２３を鍵支点１１の係合突起５４に位置合わせして、鍵３を押し下げるだけで、鍵３を鍵支点１１に取り付けることができ、その組立を容易に行うことができる。また、鍵３が鍵支点１１に抜止め状態で嵌合することによって、鍵支点１１に保持されるので、この目的のために鍵ごとに設けられていた従来の引張ばねは不要となり、その分、部品点数を削減でき、組立の容易化と相まって製造コストを削減することができる。さらに、鍵３の鍵支点１１に支持される部分が、被支持突起２３として突起状に構成されているので、これを軸受孔で構成していた従来の場合のような側壁の断面減少による強度低下がないとともに、この被支持突起２３が側壁３ｃを補強する作用を果たすことにより、鍵３の強度を高めることができる。
【００２７】
なお、本発明は、説明した実施形態に限定されることなく、種々の態様で実施することができる。例えば、実施形態で示した各構成要素の材質などは、あくまで例示であり、本発明の趣旨の範囲内で適宜、変更することができる。また、実施形態は、本発明を電子ピアノに適用した例であるが、本発明は、これに限らず、シンセサイザなどの他のタイプの電子楽器に適用することも、もちろん可能である。
【００２８】
【発明の効果】
以上詳述したように、本発明の鍵盤楽器の鍵支持装置は、鍵の強度を高めることができるとともに、部品点数の削減と組立の容易化によって製造コストを削減することができるなどの効果を有する。
【図面の簡単な説明】
【図１】本発明の一実施形態による鍵支持装置を組み込んだ電子ピアノの鍵盤装置の離鍵状態における側断面図である。
【図２】図１の鍵盤装置の押鍵状態における側断面図である。
【図３】中間シャーシの（ａ）平面図および（ｂ）側断面図である。
【図４】最低音部用シャーシの平面図である。
【図５】最高音部用シャーシの平面図である。
【図６】シャーシの鍵支点周辺の（ａ）平面図、（ｂ）側面図、および（ｃ）背面図である。
【図７】鍵の後端部の（ａ）平面図、（ｂ）Ｃ−Ｃ線に沿う断面図、および（ｃ）背面図である。
【図８】鍵を鍵支点に取り付けた状態の（ａ）平面図、（ｂ）Ｄ−Ｄ線に沿う断面図、および（ｃ）背面図である。
【符号の説明】
２    シャーシ
３    鍵
３ｃ  鍵の側壁
３ｄ  鍵の天壁
１１    鍵支点
２３    被支持突起
５４    係合突起
５５    支持穴
５６    係合突起のテーパ面
５７    切欠
５８    被支持突起のテーパ面
【図１】
0003639128.tif 000002
【図２】
0003639128.tif 000003
【図３】
0003639128.tif 000004
【図４】
0003639128.tif 000005
【図５】
0003639128.tif 000006
【図６】
0003639128.tif 000007
【図７】
0003639128.tif 000008
【図８】
0003639128.tif 000009